(57)【要約】【課題】部品点数を極力少なくすることで部品代のみならず梱包材、搬送費、組立の工賃も含めて低コストとし、組立時間も短くなる載置台とする。【解決手段】水平に設置されるべき被設置機器900 を設置する載置台であり、略凹字形状の一対の脚体110A,120A からなる脚部100Aと、一対の脚体110A,120A を平面視略Ｘ字状に連結する連結手段400Aと、被設置機器900 と脚体110A,120A との間に介在される緩衝材200Aとを備えており、脚体110A,120A はスライド溝115A,125A が形成された水平部111A,121A と水平部111A,121A の両端から垂下された一対の垂下部112A,122A とを有し、前記緩衝材200Aはスライド溝115A,125A に沿ってスライド可能になっている。【選択図】      図１
2019074100.tif 000002
【特許請求の範囲】
【請求項１】
水平に載置されるべき機器である被設置機器を載置する載置台であって、略凹字形状の一対の脚体からなる脚部と、前記一対の脚体を平面視略Ｘ字状に連結する連結手段と、前記被設置機器と脚体との間に介在される緩衝材とを具備しており、前記脚体はスライド溝が形成された水平部とこの水平部の両端から垂下された一対の垂下部とを有しており、前記緩衝材はスライド溝に沿ってスライド可能になっていることを特徴とする載置台。
【請求項２】
前記一対の脚体は、連結手段を中心として、交差角度を変化可能としていることを特徴とする請求項１記載の載置台。
【請求項３】
前記脚部の垂下部の下端には、脚部の高さを調整する高さ調整部が設けられていることを特徴とする請求項１又は２記載の載置台。
【請求項４】
水平に載置されるべき機器である被設置機器を載置する載置台であって、略Ｌ字形状の少なくとも３つの脚体からなる脚部と、すべての脚体を連結する連結手段と、前記被設置機器と脚体との間に介在される緩衝材とを具備しており、前記脚体はスライド溝が形成された水平部とこの水平部の一端から垂下された垂下部とを有しており、前記連結手段は、脚体の水平面の端部であって垂下部が垂下された側とは反対の側においてすべての脚体を連結し、前記緩衝材はスライド溝に沿ってスライド可能になっていることを特徴とする載置台。
【請求項５】
前記脚体は４つであることを特徴とする請求項４記載の載置台。
【請求項６】
前記脚部の垂下部の下端には、脚部の高さを調整する高さ調整部が設けられていることを特徴とする請求項４又は５記載の載置台。
【発明の詳細な説明】
【技術分野】
【０００１】
本発明は、井戸水の汲み上げポンプやエアコンディショナーの室外機等の水平に載置されるべき機器の載置台に関する。
【背景技術】
【０００２】
従来の汲み上げポンプやエアコンディショナーの室外機等の水平に載置されるべき被設置機器の載置台１０は、図１１に示すように４本のフレーム材１１、１１、１２、１２を四角状に組み上げたフレームとし、このフレームの四隅に設けられた４本の脚部４０と、フレームを構成する４本のフレーム材１１、１１、１２、１２のうち対向する２本のフレーム材１１、１１に掛け渡した２本の架嬌部材３０、３０とを有しており、架橋部材３０、３０に緩衝材７０を介して被設置機器を設置するようにしている（特許文献１参照）。
かかる載置台１０は、被設置機器のサイズが変わっても架橋部材３０、３０をフレーム材１１、１１に沿って移動させたり、緩衝材７０を架橋部材３０、３０に沿って移動させたりすることで対応可能である。
【０００３】
【特許文献１】特開２００６−０１７４３９号公報
【発明の開示】
【発明が解決しようとする課題】
【０００４】
しかしながら、この載置台では、４本のフレーム材、４本の脚部、２本の架橋部材の大きな部品を１０個も使用することになる。
多くの部品を使用することは、コスト高の要因となる。すなわち、部品代のみならず、大きな梱包材が必要になり、搬送費も嵩んでしまう。また、多くの部品を組み立てるための時間もかかり、工賃も嵩んでしまう。
また、被設置機器は、載置台に固定するための固定アングルの数、位置が機種によってばらばらなのが実情である。被設置機器として汲み上げポンプでも、固定アングルが３個のもの、４個のもの、それ以上のものがあったり、４個の固定アングルが等間隔で形成されているものもあれば、間隔がばらばらのものがあったりする。
従って、被設置機器の固定アングルの数、位置に対応した多数種類の載置台を準備する必要がある。
【０００５】
本発明は、上記事情に鑑みて創案されたもので、部品点数を極力少なくすることで部品代のみならず梱包材、搬送費、工賃も含めて低コストとすることができ、組立時間も短くなる載置台を提供することを目的としている。
【課題を解決するための手段】
【０００６】
本発明に係る載置台は、水平に載置されるべき機器である被設置機器を載置する載置台であって、略凹字形状の一対の脚体からなる脚部と、前記一対の脚体を平面視略Ｘ字状に連結する連結手段と、前記被設置機器と脚体との間に介在される緩衝材とを具備しており、前記脚体はスライド溝が形成された水平部とこの水平部の両端から垂下された一対の垂下部とを有しており、前記緩衝材はスライド溝に沿ってスライド可能になっている。
【０００７】
前記一対の脚体は、連結手段を中心として、交差角度を変化可能としている。
【０００８】
前記脚部の垂下部の下端には、脚部の高さを調整する高さ調整部が設けられている。
【０００９】
また、本発明に係る他の載置台は、水平に載置されるべき機器である被設置機器を載置する載置台であって、略Ｌ字形状の少なくとも３つの脚体からなる脚部と、すべての脚体を連結する連結手段と、前記被設置機器と脚体との間に介在される緩衝材とを具備しており、前記脚体はスライド溝が形成された水平部とこの水平部の一端から垂下された垂下部とを有しており、前記連結手段は、脚体の水平面の端部であって垂下部が垂下された側とは反対の側においてすべての脚体を連結し、前記緩衝材はスライド溝に沿ってスライド可能になっている。
【発明の効果】
【００１０】
本発明に係る載置台は、従来のこの種の載置台と比較して部品点数が低減されている。すなわち、従来のものであれば、大きな部品が１０個であったのに対して、本発明に係る載置台であれば２個と大幅に少なくなっている。
従って、本発明に係る載置台では、梱包材、搬送費等を含めても大幅にコスト低減を実現している。
しかも、多種の被設置機器を設置可能なのは従来のものと同様である。
【図面の簡単な説明】
【００１１】
【図１】本発明の第１の実施の形態に係る載置台の概略的斜視図である。
【図２】本発明の第１の実施の形態に係る載置台の脚部を構成する第１の脚体の図面であって、同図（Ａ）は概略的正面図、同図（Ｂ）は概略的平面図、同図（Ｃ）と概略的側面図である。
【図３】本発明の第１の実施の形態に係る載置台の脚部を構成する第２の脚体の図面であって、同図（Ａ）は概略的正面図、同図（Ｂ）は概略的平面図、同図（Ｃ）と概略的側面図である。
【図４】本発明の第２の実施の形態に係る載置台の概略的斜視図である。
【図５】本発明の第２の実施の形態に係る載置台の脚部を構成する第１の脚体の図面であって、同図（Ａ）は概略的正面図、同図（Ｂ）は概略的平面図、同図（Ｃ）と概略的側面図である。
【図６】本発明の第２の実施の形態に係る載置台の脚部を構成する第２の脚体の図面であって、同図（Ａ）は概略的正面図、同図（Ｂ）は概略的平面図、同図（Ｃ）と概略的側面図である。
【図７】本発明の第２の実施の形態に係る載置台の脚部を構成する第１の脚部と第２の脚部との交差角度を変更することができることを示す概略的平面図である。
【図８】本発明の第３の実施の形態に係る載置台の概略的斜視図である。
【図９】本発明の第３の実施の形態に係る載置台を構成する脚体の概略的斜視図である。
【図１０】本発明の第３の実施の形態に係る載置台の他の状態を示す概略的斜視図である。
【図１１】従来のこの種の載置台の一例を示す概略的斜視図である。
【発明を実施するための形態】
【００１２】
本発明の第１の実施の形態に係る載置台１０００Ａは、水平に載置されるべき機器（以下、被設置機器９００とする）を載置する載置台であって、略凹字形状の一対の脚体１１０Ａ、１２０Ａからなる脚部１００Ａと、前記一対の脚体１１０Ａ、１２０Ａを平面視略Ｘ字状に連結する連結手段４００Ａと、前記被設置機器と脚体１１０Ａ、１２０Ａとの間に介在される緩衝材２００Ａとを備えており、前記脚体１１０Ａ、１２０Ａはスライド溝１１５Ａ、１２５Ａが形成された水平部１１１Ａ、１２１Ａとこの水平部１１１Ａ、１２１Ａの両端から垂下された一対の垂下部１１２Ａ、１２２Ａとを有しており、前記緩衝材２００Ａはスライド溝１１５Ａ、１２５Ａに沿ってスライド可能になっている。
【００１３】
前記被設置機器９００としては、井戸水の汲み上げポンプ９００Ａやエアコンディショナーの室外機９００Ｂ等の水平に載置されるべきものが挙げられる。
例えば、被設置機器９００が図１に示すような全体して略円柱形の汲み上げポンプ９００Ａであれば、、機構部を内蔵した略円柱状の筐体９１０Ａの下端に９０度間隔で合計４つの固定アングル９２０Ａが形成されている（図１では、固定アングル９２０Ａは２個のみ示されている）。
また、被設置機器９００が、図４に示すようなエアコンディショナーの室外機９００Ｂであれば、機構部を内蔵した略直方体状の筐体９１０Ｂの下端に合計４つの固定アングル９２０Ｂが設けられている（図４では、固定アングル９２０Ｂは２個のみ示されている）。
なお、汲み上げポンプ９００Ａにおける固定アングル９２０Ａにしろ室外機９００Ｂの固定アングル９２０Ｂにしろ、固定用ボルト２１０Ａが貫通する固定用貫通孔９２１Ａ、９２１Ｂが開設されている。
【００１４】
第１の実施の形態にかかる載置台１０００Ａを構成する脚部１００Ａは、図２に示す第１の脚体１１０Ａと、図３に示す第２の脚体１２０Ａとを平面視略Ｘ字状に組み合わせることで構成される。
【００１５】
前記第１の脚体１１０Ａは、一枚の帯状の金属板を折曲形成したものであり、水平部１１１Ａと水平部１１１Ａの両端から垂直方向に垂下された一対の垂下部１１２Ａを有している。一対の垂下部１１２Ａは、平行になっている。
また、水平部１１１Ａや垂下部１１２Ａの側方には、強度確保のためのリブ１１３Ａが連続して形成されている。
水平部１１１Ａの中心には、連結用角孔１１４Ａが開設されている。また、水平部１１１Ａの両端側にはスライド溝１１５Ａが１つずつ開設されている。このスライド溝１１５Ａは、長孔であって、前記連結用角孔１１４Ａに向かった側が径大で、連結用角孔１１４Ａから離れた側が小径になっている。
【００１６】
また、第１の脚体１１０Ａの垂下部１１２Ａの下端には、脚部１００Ａの高さを調整するための高さ調整部３００Ａが設けられている。
この高さ調整部３００Ａは、図１に示すように、側面視略Ｌ字形状の調整脚３１０Ａと、この調整脚３１０Ａを第１の脚体１１０Ａの垂下部１１２Ａに取り付けるためのボルト３２０Ａと、このボルト３２０Ａに対応したナット３３０Ａとから構成されている。
なお、垂下部１１２Ａの下端部には、ボルト３２０Ａを貫通させるための調整用角孔１１６Ａが開設されている（図２も参照）。
【００１７】
一方、第２の脚体１２０Ａは、第１の脚体１１０Ａとほぼ同一であるが、連結用角孔１２４Ａの近傍にリブ１２３Ａが形成されておらず、凹部１２７Ａとなってる点が、第１の脚体１１０Ａと異なる。この凹部１２７Ａの幅寸法は、第１の脚体１１０Ａの幅寸法よりごく僅かに大きく設定されている。従って、この凹部１２７Ａには、第１の脚体１１０Ａが入り込むことができるようになっている。
かかる第２の脚体１２０Ａの他の部分、水平部１２１Ａや連結用角孔１２４Ａ、スライド溝１２５Ａ、垂下部１２２Ａは、第１の脚体１１０Ａのそれらと同等に形成されている。
【００１８】
前記調整脚３１０Ａは、前記垂下部１１２Ａ、１２２Ａの内側に接する接触面３１１Ａと、この接触面３１１Ａから直交する方向に折曲された接地面３１２Ａとが一体に形成されたものである。前記接触面３１１Ａには縦方向に伸びる長孔３１３Ａが開設されている。接触面３１１Ａの長孔３１３Ａと垂下部１１２Ａ、１２２Ａの調整用角孔１１６Ａ、１２６Ａとを一致させるとともに、調整脚３１０Ａの高さ寸法を決定し、調整用角孔１１６Ａ、１２６Ａと長孔３１３Ａとに挿通されたボルト３２０Ａにナット３３０Ａを螺合することで、調整脚３１０Ａの高さ位置を決定するのである。
また、前記調整脚３１０Ａの接地面３１２Ａには、載置台１０００Ａを地面等の設置面に固定する際に使用する固定用貫通孔３１４Ａが開設されている。
【００１９】
第１の脚体１１０Ａの連結用角孔１１４Ａと第２の脚体１２０Ａの連結用角孔１２４Ａとを一致させつつ、第１の脚体１１０Ａを第２の脚体１２０Ａの凹部１２７Ａに入れ込む。すると、第１の脚体１１０Ａと第２の脚体１２０Ａとは交差角度が９０度のＸ字状（十字状）に組み合わされる。この状態で、両連結用角孔１１４Ａ、１２４Ａに連結手段４００Ａを構成するボルト４１０Ａを挿通し、ナット（図示省略）で締結する。
【００２０】
前記緩衝材２００Ａは、中央に貫通孔が開設された平面視略円形のゴム製部材であって、少しずつ高さの異なる複数個の凸部が突出形成されている。この緩衝材２００Ａは、前記貫通孔を貫通した固定用ボルト２１０Ａと、この固定用ボルト２１０Ａに対応するナット２２０Ａによって第１の脚体１１０Ａのスライド溝１１５Ａ、第２の脚体１２０Ａのスライド溝１２５Ａに固定される。なお、前記ナット２２０Ａは、図１に示すように、被設置機器９００である汲み上げポンプ９００Ａの固定アングル９２０に開設された固定用貫通孔９２１を貫通した固定用ボルト２１０Ａに螺合される。
この緩衝材２００Ａが、機器である被設置機器９００である汲み上げポンプ９００Ａと脚部１００Ａとの間に介在されることで、脚部１００Ａに伝わる汲み上げポンプ９００Ａの振動が減衰されるようになっている。
【００２１】
この緩衝材２００Ａは、スライド溝１１５Ａ、１２５Ａに固定されるため、その位置をスライド溝１１５Ａ、１２５Ａに沿って変えることができるようになっている。このため、この載置台１０００Ａは、径が異なる被設置機器９００に対応することができるようになっている。
なお、この緩衝材４００Ａは、第１の脚体１１０Ａと第２の脚体１２０Ａとを連結する連結手段４００Ａを構成するボルト４１０Ａの頭部が被設置機器９００の底面に接触しないようにする役目も有している。
【００２２】
このように構成された第１の実施の形態に係る載置台１０００Ａは、汲み上げポンプ９００Ａのような被設置機器９００であれば、図１に示すように、４つの固定アングル９２０Ａをそれぞれ緩衝材２００Ａに固定用ボルト２１０Ａ及びナット２２０Ａを用いて取り付けることができる。しかも、この載置台１０００Ａでは、緩衝材２００Ａをスライド溝１１５Ａ、１２５Ａに沿ってスライドさせることができるため、サイズの異なる汲み上げポンプ９００Ａ（被設置機器９００）に対応することができる。
【００２３】
第１の実施の形態にかかる載置台１０００Ａは、平坦な地面を設置面として設置されるのが最も好ましいが、設置面に多少の凹凸があってもよい。高さ調整部３００Ａによって多少の凹凸であれば対応できるためである。
従って、この第１の実施の形態に係る載置台１０００Ａであれば、設置面の平坦さにそれほど拘る必要がないので載置台１０００Ａが設置できる場所の選択肢を拡げることができる。
【００２４】
本発明の第２の実施の形態に係る載置台１０００Ｂは、被設置機器９００を載置する載置台であって、略凹字形状の一対の脚体１１０Ｂ、１２０Ｂからなる脚部１００Ｂと、前記一対の脚体１１０Ｂ、１２０Ｂを平面視略Ｘ字状に連結する連結手段４００Ｂと、前記被設置機器９００と脚体１１０Ｂ、１２０Ｂとの間に介在される緩衝材２００Ｂとを備えており、前記脚体１１０Ｂ、１２０Ｂはスライド溝１１５Ｂ、１２５Ｂが形成された水平部１１１Ｂ、１２１Ｂとこの水平部１１１Ｂ、１２１Ｂの両端から垂下された一対の垂下部１１２Ｂ、１２２Ｂとを有しており、前記緩衝材２００Ｂはスライド溝１１５Ｂ、１２５Ｂに沿ってスライド可能になっており、かつ前記一対の脚体１１０Ｂ、１２０Ｂは、連結手段４００Ｂを中心として、交差角度を変化可能としている。
【００２５】
この第２の実施の形態に係る載置台１０００Ｂが、前記第１の実施の形態にかかる載置台１０００Ａと大きく相違する点は、第２の脚体１２０Ｂのリブ１２３Ｂに設けられる凹部１２７Ｂである。この凹部１２７Ｂは、第１の実施の形態に係る載置台１０００Ａのそれとは違って、幅寸法が第１の脚体１１０Ｂの幅寸法よりかなり大きく設定されていることである。例えば、第１の脚体１１０Ｂの幅寸法が５０ｍｍであったとすると、凹部１２７Ｂの幅寸法Ｗ１は７０ｍｍと設定される（なお、この第１の脚体１１０Ｂの幅寸法と、凹部１２７Ｂの幅寸法Ｗ１は一例であって、本発明がこれに限定されるものでないことはいうまでもない）。
【００２６】
第２の実施の形態にかかる載置台１０００Ｂを構成する脚部１００Ａは、図５に示す第１の脚体１１０Ｂと、図６に示す第２の脚体１２０Ｂとを平面視略Ｘ字状に組み合わせることで構成される。
【００２７】
前記第１の脚体１１０Ｂは、図５に示すように、一枚の帯状の金属板を折曲形成したものであり、水平部１１１Ｂと水平部１１１Ｂの両端から垂直方向に垂下された一対の垂下部１１２Ｂを有している。一対の垂下部１１２Ａは、平行になっている。
また、水平部１１１Ｂや垂下部１１２Ｂの側方には、強度確保のためのリブ１１３Ｂが連続して形成されている。
水平部１１１Ｂの中心には、連結用角孔１１４Ｂが開設されている。また、水平部１１１Ｂの両端側にはスライド溝１１５Ｂが１つずつ開設されている。このスライド溝１１５Ｂは、長孔であって、前記連結用角孔１１４Ｂに向かった側が径大で、連結用角孔１１４Ｂから離れた側が幅狭になっている。
【００２８】
また、第１の脚体１１０Ｂの垂下部１１２Ｂの下端には、脚部１００Ｂの高さを調整するための高さ調整部３００Ｂが設けられている。
この高さ調整部３００Ｂは、図４に示すように、側面視略Ｌ字形状の調整脚３１０Ｂと、この調整脚３１０Ｂを第１の脚体１１０Ｂの垂下部１１２Ｂに取り付けるためのボルト３２０Ｂと、このボルト３２０Ｂに対応したナット３３０Ｂとから構成されている。
なお、垂下部１１２Ｂの下端部には、ボルト３２０Ｂを貫通させるための調整用角孔１１６Ｂが開設されている（図５も参照）。
【００２９】
一方、第２の脚体１２０Ｂは、図６に示すように、第１の脚体１１０Ｂとほぼ同一であるが、中心の連結用角孔１２４Ｂの近傍にリブ１２３Ｂが形成されておらず、前記凹部１２７Ｂとなってる点が、第１の脚体１１０Ｂと異なる。この凹部１２７Ｂの幅寸法は、第１の脚体１１０Ｂの幅寸法よりかなり大きく設定されている。
従って、この凹部１２７Ｂがあるために、第２の実施の形態に係る載置台１０００Ｂでは、第１の脚体１１０Ｂと第２の脚体１２０ＢとをＸ字状連結することができるとともに、第１の脚体１１０Ｂと第２の脚体１２０Ｂとの交差角度を一定範囲で変更することができるようになっている。
【００３０】
すなわち、前記凹部１２７Ｂの幅寸法Ｗ１は、第１の脚体１１０Ｂの幅寸法より大きく設定されており、かつ図６（Ａ）に示すように、向かい合うリブ１２３Ｂではその位置が左右方向にずれている。このため、図７に示すように、第１の脚体１１０Ｂと第２の脚体１２０Ｂとは、凹部１２７Ｂの幅寸法Ｗ１と第１の脚体１１０Ｂの幅寸法との差があるため、連結手段４００Ｂを中心として交差角度を一定範囲で変更することができるようになっている。
なお、図７においては、交差角度が変化することを示すため、最も交差角度θ１が小さい状態を実線の第２の脚体１２０Ｂで、最も交差角度θ２が大きい状態を一点鎖線の第２の脚体１２０Ｂで示している。
【００３１】
なお、前記第２の脚体１２０Ｂの他の部分、水平部１２１Ｂや連結用角孔１２４Ｂ、スライド溝１２５Ｂ、垂下部１２２Ｂは、第１の脚体１１０Ｂのそれらと同等に形成されている。
【００３２】
第１の脚体１１０Ｂの連結用角孔１１４Ｂと第２の脚体１２０Ｂの連結用角孔１２４Ｂとを一致させつつ、第１の脚体１１０Ｂを第２の脚体１２０Ｂの凹部１２７Ａに入れ込む。すると、第１の脚体１１０Ｂと第２の脚体１２０ＢとはＸ字状に組み合わされる。この状態で、両連結用角孔１１４Ｂ、１２４Ｂに連結手段４００Ｂを構成するボルト４１０Ｂを挿通し、ナット（図示省略）で締結する。
【００３３】
前記調整脚３１０Ｂは、前記垂下部１１２Ｂ、１２２Ｂの外側に接する接触面３１１Ｂと、この接触面３１１Ｂから直交する方向に折曲された接地面３１２Ｂとが一体に形成されたものである。前記接触面３１１Ｂには縦方向に伸びる長孔３１３Ｂが開設されている。接触面３１１Ｂの長孔３１３Ｂと垂下部１１２Ｂ、１２２Ｂの調整用角孔１１６Ｂ、１２６Ｂとを一致させるとともに、調整脚３１０Ｂの高さ寸法を決定し、調整用角孔１１６Ｂ、１２６Ｂと長孔３１３Ｂとに挿通されたボルト３２０Ｂにナット３３０Ｂを螺合することで、調整脚３１０Ｂの高さ位置を決定するのである。
また、前記調整脚３１０Ｂの接地面３１２Ｂには、載置台１０００Ａを地面等の設置面に固定する際に使用する固定用貫通孔３１４Ｂが開設されている。
【００３４】
このように構成された第２の実施の形態に係る載置台１０００Ｂは、室外機９００Ｂのような被設置機器９００であれば、図４に示すように、４つの固定アングル９２０Ｂをそれぞれ緩衝材２００Ｂに固定用ボルト２１０Ｂ及びナット（図示省略）を用いて取り付けることができる。しかも、この載置台１０００Ｂでは、緩衝材２００Ｂをスライド溝１１５Ｂ、１２５Ｂに沿ってスライドさせることができるため、サイズの異なる室外機９００Ｂ（被設置機器９００）に対応することができる。
しかも、この第２の実施の形態に係る載置台１０００Ｂは、第１の脚部１１０Ｂと第２の脚部１２０Ｂとの交差角度を変更することができるので、大きさの異なる室外機９００Ｂ（被設置機器９００）にも対応することができる。
【００３５】
第２の実施の形態にかかる載置台１０００Ｂは、平坦な地面を設置面として設置されるのが最も好ましいが、設置面に多少の凹凸があってもよい。高さ調整部３００Ｂによって多少の凹凸であれば対応できるためである。
従って、この第１の実施の形態に係る載置台１０００Ｂであれば、設置面の平坦さにそれほど拘る必要がないので載置台１０００Ｂが設置できる場所の選択肢を拡げることができる。
【００３６】
次に、本発明の第３の実施の形態に係る載置台１０００Ｃを図８〜図１０を参照しつつ説明する。
この第３の実施の形態に係る載置台１０００Ｃは、水平に載置されるべき機器である被設置機器９００を載置する載置台であって、略Ｌ字形状の４つの脚体１１０Ｃからなる脚部１００Ｃと、すべての脚体１１０Ｃを連結する連結手段４００Ｃと、前記被設置機器９００と脚体１１０Ｃとの間に介在される緩衝材２００Ｃとを備えており、前記脚体１１０Ｃはスライド溝１１５Ｃが形成された水平部１１１Ｃとこの水平部１１１Ｃの一端から垂下された垂下部１１２Ｃとを有しており、前記連結手段４００Ｃは、脚体１１０Ｃの水平面１１１Ｃの端部であって垂下部１１２Ｃが垂下された側とは反対の側においてすべての脚体１１０Ｃを連結し、前記緩衝材２００Ｃはスライド溝１１５Ｃに沿ってスライド可能になっている。
【００３７】
この第３の実施の形態に係る載置台１０００Ｃが、上述の載置台１０００Ａ、１０００Ｂと異なる点は、脚体１１０Ｃが略Ｌ字形状に形成されている点である。
この脚体１１０Ｃは、垂下部１１２Ｃを外側にして、垂下部１１２Ｃが形成されていない側（垂下部１１２Ｃが垂下された側とは反対の側）ですべての脚体１１０Ｃが連結手段４００Ｃによって連結される。
【００３８】
前記脚体１１０Ｃは、一枚の帯状の金属板を折曲形成したものであり、水平部１１１Ｃと水平部１１１Ｃの一端から垂直方向に垂下された垂下部１１２Ｃを有している。
また、水平部１１１Ｃや垂下部１１２Ｃの側方には、強度確保のためのリブ１１３Ｃが連続して形成されている。
水平部１１１Ｃの端部、それも垂下部１１２Ｃが形成されていない側には、連結用角孔１１４Ｃが開設されている。また、水平部１１１Ｃにはスライド溝１１５Ｃが開設されている。このスライド溝１１５Ｃは、長孔であって、前記連結用角孔１１４Ｃに向かった側が径大で、連結用角孔１１４Ｃから離れた側が小径になっている。
【００３９】
また、脚体１１０Ｃの垂下部１１２Ｃの下端には、脚部１００Ｃの高さを調整するための高さ調整部３００Ｃが設けられている。
この高さ調整部３００Ａは、図８に示すように、側面視略Ｌ字形状の調整脚３１０Ｃと、この調整脚３１０Ｃを脚体１１０Ｃの垂下部１１２Ｃに取り付けるためのボルト３２０Ｃと、このボルト３２０Ｃに対応したナット３３０Ｃとから構成されている。
なお、垂下部１１２Ｃの下端部には、ボルト３２０Ｃを貫通させるための調整用角孔１１６Ｃが開設されている。
【００４０】
前記調整脚３１０Ｃは、前記垂下部１１２Ｃの外側に接する接触面３１１Ｃと、この接触面３１１Ｃから直交する方向に折曲された接地面３１２Ｃとが一体に形成されたものである。前記接触面３１１Ｃには縦方向に伸びる長孔３１３Ｃが開設されている。接触面３１１Ｃの長孔３１３Ｃと垂下部１１２Ｃの調整用角孔とを一致させるとともに、調整脚３１０Ｃの高さ寸法を決定し、調整用角孔と長孔３１３Ｃとに挿通されたボルト３２０Ｃにナット３３０Ｃを螺合することで、調整脚３１０Ｃの高さ位置を決定するのである。
また、前記調整脚３１０Ｃの接地面３１２Ｃには、載置台１０００Ｃを地面等の設置面に固定する際に使用する固定用貫通孔３１４Ｃが開設されている。
【００４１】
前記緩衝材２００Ｃは、中央に貫通孔が開設された平面視略円形のゴム製部材であって、少しずつ高さの異なる複数個の凸部が突出形成されている。この緩衝材２００Ｃは、前記貫通孔を貫通した固定用ボルト２１０Ｃと、この固定用ボルト２１０Ｃに対応するナット２２０Ｃによって脚体１１０Ｃのスライド溝１１５Ｃに固定される。なお、前記ナット２２０Ｃは、図８に示すように、被設置機器９００Ｃの固定アングル９２０Ｃに開設された固定用貫通孔９２１Ｃを貫通した固定用ボルト２１０Ｃに螺合される。
この緩衝材２００Ｃが、機器である被設置機器９００Ｃと脚部１００Ｃとの間に介在されることで、脚部１００Ｃに伝わる被設置機器９００Ｃの振動が減衰されるようになっている。
【００４２】
４つの脚体１１０Ｃの連結用角孔１１４Ｃを一致させつつ、４つの脚体１１０Ｃの連結用角孔１１４Ｃに連結手段４００Ｃを構成するボルト４１０Ｃを挿通し、ナット（図示省略）で締結する。
【００４３】
脚部１００Ｃを構成する４つの脚体１１０Ｃは、お互いの間の角度を任意に変更することができる。図８に示す状態では、脚部１００Ｃを構成する４つの脚体１１０Ｃは９０度間隔で連結されているが、図１０に示す状態では，４つの脚体１１０Ｃの間の角度はすべて異なっている。
このように、４つの脚体１１０Ｃの間の角度を任意に変更することができるため、被設置機器９００の固定アングル９２０Ｃがどのような位置に設けられていたとしても、この第３の実施の形態に係る載置台１０００Ｃであれば対応することができる。
【００４４】
しかも、例えば、被設置機器９００Ｃの固定アングルが５つであったとしたら、５つの脚体１１０Ｃを組み合わせれば対応可能である。また、固定アングルが３つであったとしたら、３つの脚体１１０Ｃを組み合わせれば対応可能である。このように、固定アングルの数に応じて脚体１１０Ｃを組み合わせることで、３つ以上の固定アングルを有する被設置機器９００Ｃに対応することが可能となった。なお、脚体１１０Ｃが２つでは脚部１００Ｃとして成立しないので、脚体１１０Ｃは少なくとも３つ以上となる。
【００４５】
上述した実施の形態では、第１の実施の形態に係る載置台１０００Ａでは汲み上げポンプ９００を、第２の実施の形態に係る載置台１０００Ｂでは室外機９００Ｂをそれぞれ被設置機器９００として挙げたがそれに限定されるものでなはい。他の種類の被設置機器９００であっても対応可能なことはいうまでもない。
【符号の説明】
【００４６】
１００Ａ    脚部
１１０Ａ    第１の脚体
１１１Ａ    水平部
１１２Ａ    垂下部
１１５Ａ    スライド溝
１２０Ａ    第２の脚体
１２１Ａ    水平部
１２２Ａ    垂下部
１２５Ａ    スライド溝
２００Ａ    緩衝材
４００Ａ    連結手段
９００      被設置機器
１０００Ａ  載置台
【図１】
2019074100.tif 000003
【図２】
2019074100.tif 000004
【図３】
2019074100.tif 000005
【図４】
2019074100.tif 000006
【図５】
2019074100.tif 000007
【図６】
2019074100.tif 000008
【図７】
2019074100.tif 000009
【図８】
2019074100.tif 000010
【図９】
2019074100.tif 000011
【図１０】
2019074100.tif 000012
【図１１】
2019074100.tif 000013